(57)【特許請求の範囲】
【請求項１】
薬剤を封入するポケットが複数配列された薬剤シートを包装するための薬剤シート用包装体であって、
前記薬剤シートに対向する面を有するベースシートと、
前記ベースシートの幅方向両端で前記薬剤シートのポケット面に向けて折り返され、前記薬剤シートが前記ポケットの列方向にスライド可能なように該薬剤シートの両側部を挟持する折返部と、を備え、
前記ベースシートには、前記薬剤シートに形成されているポケットの１列に対応して、薬剤を外部に取り出すための孔が形成され、
前記薬剤シートをスライドしたとき、前記ベースシートの孔と前記薬剤シートの何れかの列のポケットとの位置が合う複数のスライド位置の各位置で、前記ポケットに弾性的に嵌合して前記薬剤シートをスライド可能に保持するための凹部が、前記折返部に波状に複数形成されていることを特徴とする薬剤シート用包装体。
【請求項２】
前記薬剤シートをスライドしたとき、前記ベースシートの孔と前記薬剤シートの何れかの列のポケットとの位置が合う第１のスライド位置と、前記ベースシートの孔が前記薬剤シートによって少なくとも部分的に塞がれる第２のスライド位置とにおいて交互に節度感が生じるように前記凹部が前記折返部に形成されている、請求項１に記載の薬剤シート用包装体。
【請求項３】
波状の前記凹部が、前記薬剤シートのポケットの列の間隔と同じピッチの空間的な周期で、前記折返部の縁に形成されている、請求項１に記載の薬剤シート用包装体。
【請求項４】
薬剤を封入するポケットが複数配列された薬剤シートを包装するための薬剤シート用包装体であって、
前記薬剤シートに対向する面を有するベースシートと、
前記ベースシートの幅方向両端で前記薬剤シートのポケット面に向けて折り返され、前記薬剤シートが前記ポケットの列方向にスライド可能なように該薬剤シートの両側部を挟持する折返部と、を備え、
前記ベースシートには、前記薬剤シートに形成されているポケットの１列に対応して、薬剤を外部に取り出すための孔が形成され、
前記薬剤シートをスライドしたとき、前記ベースシートの孔と前記薬剤シートの何れかの列のポケットとの位置が合う複数のスライド位置で前記薬剤シートを保持する保持部が、前記折返部に形成され、
前記薬剤シートをスライドしたとき、前記ベースシートの孔と前記薬剤シートの何れかの列のポケットとの位置が合う第１のスライド位置と、前記ベースシートの孔が前記薬剤シートによって少なくとも部分的に塞がれる第２のスライド位置とにおいて交互に節度感が生じるように、前記薬剤シートを前記各スライド位置に保持する前記保持部が、前記折返部に形成され、
前記保持部が、前記薬剤シートのポケットの列の間隔の１／２ピッチの空間的な周期で、前記折返部の縁に波状に形成された複数の凹部を備えている、薬剤シート用包装体。
【請求項５】
前記薬剤シートが前記各スライド位置にあるとき、前記ポケットの外縁の一部が前記凹部に弾性的に嵌合している、請求項４に記載の薬剤シート用包装体。
【請求項６】
前記ベースシートの前記折返部が形成されていない一端部に、前記薬剤シートがその一端部よりも外方へスライドするのを規制するストッパ部が形成されている、請求項１〜５の何れか１項に記載の薬剤シート用包装体。
【請求項７】
前記ストッパ部が、前記ベースシートの前記一端部の位置で、前記薬剤シートのポケット面に向けて折り返された第２の折返部により形成されている、請求項６に記載の薬剤シート用包装体。
【請求項８】
前記孔の外縁に沿って、前記ベースシートの前記薬剤シートに対向する面から突出するリブが形成されている、請求項１〜７の何れか１項に記載の薬剤シート用包装体。
【請求項９】
前記孔が、前記ベースシートの前記薬剤シートに対向する面から突出する台状部に形成されている、請求項１〜７の何れか１項に記載の薬剤シート用包装体。
【発明の詳細な説明】
【技術分野】
【０００１】
本発明は、薬剤を封入した薬剤シートを収容可能な薬剤シート用包装体に関する。
【背景技術】
【０００２】
経口投与の薬剤として処方される多くの医薬品は、所要回数分の薬剤を封入したＰＴＰ（Press Through Package）シートにより疾病者（薬の服用者）に渡される。ＰＴＰシートには個々のポケット（「ブリスタ」ともいう。）にそれぞれ１個の薬剤が封入されている。疾病者は１回分に必要な個数だけの薬剤を、ポケットを潰して取り出し、その取り出した薬剤を服用している。
【０００３】
このようなＰＴＰタイプの薬剤シートは利便性があり、日常の生活を送ることができる疾病者が家庭内で薬剤を服用する場合も多い。しかし、家庭内に持ち込まれる処方薬の中には、例えば抗がん剤など、副作用のリスクが高い薬も含まれることがある。そのような危険な薬剤に対しては、子供や幼児などが不用意に取り出したり、誤飲したりしないように、薬剤シートを特別な場所などに保管するなど、十分注意して管理する必要がある。
【０００４】
従来、子供などが簡単に薬剤を取り出せないように対策を施した包装体や器具が提案されている。
例えば特許文献１には、薬剤シートのホイル面（薬剤が取り出される側の面）に対向する保護パネルを一体的に備えたブリスターパックが開示されている。この保護パネルは、薬剤を封入するポケットの配列に実質的に等しい孔の配列を備え、該孔がポケットから部分的にオフセットされる第１の位置と、該孔がポケットに位置合わせされた第２の位置との間でスライドが可能となっている。また、薬剤シートと保護パネルとの間に形成されたスプリングウェブにより、薬剤シートを前記第１の位置に付勢するようにしてある。
【０００５】
また、例えば特許文献２に記載のブリスターパックを保持する器具は、ブリスターパックを収容するハウジングに、複数のポケットに対応する開口部が配列して形成されたベース部が備えられ、ブリスターパックが、ポケットとベース部材の開口部とがずれた第１の位置と、ポケットと開口部とが位置合わせされた第２の位置との間で移動可能となっている。また、特許文献２の器具には、ポケットを前記第１の位置にロックするロック機構が備えられ、更に該ブリスターパックを前記第１の位置にロックするロック位置から、前記第２の位置に移動可能な非ロック位置へと操作可能な操作手段が備えられている。
【先行技術文献】
【特許文献】
【０００６】
【特許文献１】米国特許出願公開第２００４／０１８８３１４号明細書
【特許文献２】特開２００９−５０７７２８号公報
【発明の概要】
【発明が解決しようとする課題】
【０００７】
しかし、特許文献１に記載のブリスターパックでは、スプリングウェブの付勢力に抗して薬剤シートを孔の半径分の距離だけ移動させることで、全てのポケットが孔の位置に一致してしまうため、比較的に簡単に薬剤が取り出せてしまう。
また、特許文献２に記載のブリスターパックを保持する器具によれば、ブリスターパックが第１の位置であるロック位置にあるときには薬剤を取り出すことができない。しかし、服用者がブリスターパックから薬剤を取り出すためには、先ずブリスターパックをロック位置から非ロック位置に移動させ、次に非ロック位置から前記第２の位置へ移動させる必要があり、薬の服用者にとっては薬剤の取り出し操作が煩雑である。
【０００８】
上述したように、家庭内で使用される薬剤シートは、子供などが悪戯などで不用意に薬剤を取り出せないようにする、いわゆるチャイルドレジスタンス機能を備える必要性がある一方で、服用者にとっては簡単な操作で薬剤を取り出せるほうが、利便性が高いともいえる。上述した従来の特許文献１及び２に記載の薬剤包装体や器具は、このような薬剤の取り出し性能に関する相反する課題を解決するものではなかった。
【０００９】
本発明は、このような薬剤の取り出し性能に関する課題に鑑みてなされたものであり、薬剤を取り出す操作性能を損なうことなく、偶発的又は不用意には薬剤が取り出せない保護機能を兼ね備えた、薬剤シート用包装体を提供することを目的とする。
【課題を解決するための手段】
【００１０】
本発明は、薬剤を封入するポケットが複数配列された薬剤シートを包装するための薬剤シート用包装体であって、前記薬剤シートに対向する面を有するベースシートと、前記ベースシートの幅方向両端で前記薬剤シートのポケット面に向けて折り返され、前記薬剤シートが前記ポケットの列方向にスライド可能なように該薬剤シートの両側部を挟持する折返部と、を備え、前記ベースシートには、前記薬剤シートに形成されているポケットの１列に対応して、薬剤を外部に取り出すための孔が形成され、前記薬剤シートをスライドしたとき、前記ベースシートの孔と前記薬剤シートの何れかの列のポケットとの位置が合う複数のスライド位置で前記薬剤シートを保持する保持部が、前記折返部に形成されていることを特徴とする薬剤シート用包装体である。
【００１１】
薬剤シート用包装体は、前記薬剤シートをスライドしたとき、前記ベースシートの孔と前記薬剤シートの何れかの列のポケットとの位置が合う第１のスライド位置と、前記ベースシートの孔が前記薬剤シートによって少なくとも部分的に塞がれる第２のスライド位置とにおいて交互に節度感が生じるように、前記薬剤シートを前記各スライド位置に保持する前記保持部が、前記折返部に形成されていることが好ましい。
【００１２】
薬剤シート用包装体は、前記保持部が、前記薬剤シートのポケットの列の間隔と同じピッチの空間的な周期で、前記折返部の縁に波状に形成された複数の凹部を備えていることが好ましい。
【００１３】
薬剤シート用包装体は、前記保持部が、前記薬剤シートのポケットの列の間隔の１／２ピッチの空間的な周期で、前記折返部の縁に波状に形成された複数の凹部を備えていてもよい。
【００１４】
薬剤シート用包装体は、前記薬剤シートが前記各スライド位置にあるとき、前記ポケットの外縁の一部が前記凹部に弾性的に嵌合していることが好ましい。
【００１５】
薬剤シート用包装体は、前記ベースシートの前記折返部が形成されていない一端部に、前記薬剤シートがその一端部よりも外方へスライドするのを規制するストッパ部が形成されていることが好ましい。
【００１６】
薬剤シート用包装体は、前記ストッパ部が、前記ベースシートの前記一端部の位置で、前記薬剤シートのポケット面に向けて折り返された第２の折返部により形成されていることが好ましい。
【００１７】
薬剤シート用包装体は、前記孔の外縁に沿って、前記ベースシートの前記薬剤シートに対向する面から突出するリブが形成されていることが好ましい。
【００１８】
薬剤シート用包装体は、前記孔が、前記ベースシートの前記薬剤シートに対向する面から突出する台状部に形成されているものでもよい。
【発明の効果】
【００１９】
本発明によれば、薬の服用者による薬剤を取り出す操作性能を損なうことなく、子供などによって偶発的に又は不用意には薬剤が取り出せない保護機能を兼ね備えた、薬剤シート用包装体を提供することができる。
【図面の簡単な説明】
【００２０】
【図１】本発明の一実施形態による、薬剤シート用の包装体の平面図である。
【図２】図１の包装体の展開図である。
【図３】図１のIII−III位置で切断した場合の包装体の断面図である。
【図４】一例として、各列に２個のポケットが５列配列された薬剤シートの平面図である。
【図５】図１の包装体のエンド位置に薬剤シートがある場合の平面図である。
【図６】包装体に備えられる保持部の製造条件の実施例を説明するための図である。
【図７】図１の包装体において、薬剤シートが第１のスライド位置にある場合の平面図である。
【図８】図１の包装体において、薬剤シートが第２のスライド位置にある場合の平面図である。
【図９】他の実施形態による、薬剤シート用の包装体の側面図と平面図である。
【図１０】更に別の実施形態による、薬剤シート用の包装体の平面図である。
【図１１】更に別の実施形態による、薬剤シート用の包装体の平面図である。
【図１２】図１１のXII−XII位置で切断した場合の包装体の断面図である。
【図１３】更に別の実施形態による、薬剤シート用の包装体の平面図である。
【図１４】更に別の実施形態による、薬剤シート用の包装体の展開図である。
【図１５】図１４の包装体の平面図である。
【発明を実施するための形態】
【００２１】
本発明に係る薬剤シート用包装体について、以下図面を参照しながら好適な複数の実施形態を説明する。図１は、本発明の一実施形態による薬剤シート用の包装体１０の平面図、図２は、包装体１０の展開図である。更に図３は、図１のIII−III位置で切断した場合の包装体１０の断面図である。
【００２２】
包装体１０は、例えば図２の展開図で示される１つのシート状成形体から形成される。このような、シート状成形体は、可撓性（曲げ弾性）を有する熱可塑性透明樹脂シートから一体形成される。包装体の本体であるシート状成形体（透明樹脂シート）の実施例としては、例えばシート厚が０．１〜１．０ｍｍ（好適には、０．２５〜０．８ｍｍ）のＡ−ＰＥＴを用いることができる。試作したシート状成形体の機械的特性を示す引張弾性係数は２０２０ＭＰａである（シート厚０．３ｍｍ、ＩＳＯ５２７−３：２０１２（ＪＩＳ  Ｋ  ７１２７）試験法により測定した実測値）。
【００２３】
完成品として図１に示される包装体１０は、図２の展開図で示されるシート状成形体を適宜のプレス成形法（真空成形又は熱成形等）により加工し、所定箇所を折り曲げる工程を経て形成される。すなわち、包装体１０は、薬剤シート５０のホイル面（薬剤を取り出す側の面）に対向する面１１ａを有するベースシート１１と、ベースシート１１の幅方向（図１及び図２においては左右方向）両端で折り返され、薬剤シート５０をスライド可能にその両側部を挟持する第１の折返部１２、１３とを備えている。また、包装体１０は、ベースシート１１の長手方向（つまりスライド方向）の、上記第１の折返部１２、１３が形成されていない一端部（図１及び図２においては上端部）に、ストッパ部としての第２の折返部１４が形成されている。
【００２４】
ここで、本実施形態の包装体１０が包装する薬剤シート５０には、通常、複数のポケット５１ａ、５１ｂ、５２ａ、５２ｂ、・・・が配列して形成されている。図４の例では、２×５の合計１０個のポケットが示されている。また、薬剤シート５０を横切るように、等間隔に複数のスリット（ミシン目）５７、５７、・・・が形成されている。薬剤シート５０には、このようなスリット５７、５７、・・・による切れ目が、ポケット５１ａ、５１ｂ、５２ａ、５２ｂ、・・・、５５ａ、５５ｂを１列ごとに区切っている。
なお、本明細書において、ポケットの「列」とは、スリット５７、５７、・・・によって区切られた１つ又は複数のポケットの配列をいうものとする。この定義によれば、図４の薬剤シート５０には、各列に２個のポケットが５列配列されている、ということができる。
【００２５】
また、包装体１０に包装された薬剤シート５０のスライド方向（長手方向）と、ポケット５１ａ、５１ｂ、５２ａ、５２ｂ、・・・、５５ａ、５５ｂ及びスリット５７、５７、・・・の列方向とは一致しているともいえる。なお、本発明の薬剤シート包装体は、スリットが形成されていない薬剤シートも取り扱うことができる。ただし、そのような薬剤シートであっても、「ポケットの列方向」とは、該薬剤シートが「スライドする方向」をいうものとして解釈できる。
【００２６】
ベースシート１１には、薬剤シート５０に形成されているポケットの１列に対応して、薬剤を外部に取り出すための孔１５ａ、１５ｂが開口形成されている。例えば、１列に２個のポケットが形成された薬剤シート５０（例えば図４参照）を包装する包装体１０においては、図１に示されるように２個の孔１５ａ、１５ｂが形成される。また「ポケットの１列に対応して」とは、薬剤シート５０の１列のポケットの数と孔の数が一致しているだけでなく、１列に形成されたポケットの間隔と孔の間隔が一致していること、及び、孔を通して薬剤が取り出せるように、孔の直径が薬剤の直径よりも大きく、ポケットの直径と実質的に同一の寸法に形成されていることを含む。
【００２７】
また、図５に示すように、本実施形態の包装体１０によれば、ベースシート１１の長手方向における孔１５ａ、１５ｂの位置が、薬剤シート５０の一端部がストッパ部（折返部１４）に接するエンド位置のときに、該薬剤シート５０の他端部によって、孔１５ａ、１５ｂの全部又は一部が塞がれる位置に形成される。この位置では、薬剤シート５０の一端部が、ベースシート１１と折返部１４との間に入り込み、その位置よりも薬剤シート５０が外方へスライドするのを規制している。これにより、薬剤シート５０が包装体１０から不用意に取り外されることを防止することができる。また、薬剤シート５０の一方向のみのスライド操作で薬剤の取り出しが可能となるため、服用者による薬の取り出し操作性を簡易化しかつ良好にしている。
【００２８】
また、本実施形態の包装体１０によれば、図３に示したように、個々の孔１５ａ、１５ｂの外縁に沿って、ベースシート１１の面１１ａから薬剤シート側に突出するリブ２４ａ、２４ｂ（裏面から見ると凹溝）が形成されている。このようなリブ２４ａ、２４ｂにより、孔１５ａ、１５ｂの周囲の剛性を増すことができ、特に薬剤を取り出すためにポケットを押し潰す方向に力が作用しても、ベースシート１１の曲りやその変形量を小さく抑えることができる。
【００２９】
ベースシート１１は、包装する薬剤シート５０の短手方向幅よりも若干広い幅を有している。そのベースシート１１の幅方向両端に、薬剤シート５０のポケット面（薬剤を封入するブリスタが形成されているホイル面とは反対側の面）に向けて折り返される第１の折返部１２、１３が形成されている。ベースシート１１の面１１ａと第１の折返部１２、１３とを区切る折り曲げ線１２ａ、１３ａは、薬剤シート５０の長手方向よりも若干長い、溝のような薄肉化したスリット、又は、ある適当なピッチで貫通と非貫通との組合せによるミシン目からなる。これにより、折返部１２、１３にある一定の外力が加えられると、折り曲げ線１２ａ、１３ａに沿って容易に折返部１２、１３を内方に折り返すことができる。薬剤シート５０が包装体１０に包装された状態では、該薬剤シート５０の両側部が折返部１２、１３により挟持される。これにより、薬剤シート５０は、包装体１０内において、折返部１２、１３の長手方向に沿って、スライド可能に保持される。
【００３０】
また、折返部１２、１３の縁には、波状に形成された複数の凹部２１ａ、２１ａ、・・・、２２ａ、２２ａ、・・・を備える保持部２１、２２が形成されている。保持部２１、２２は、左右対称に形成され、凹部２１ａ、２１ａ、・・・、２２ａ、２２ａ、・・・の中に薬剤シート５０のポケット５１ａ、５１ｂ、５２ａ、５２ｂ、・・・、５５ａ、５５ｂの左右両外縁の一部を弾性的に嵌合させる。例えば、図６に示す製造条件で、包装体１０（特に保持部２１、２２）を形成することで、薬の服用者が薬剤シート５０をスライドさせたときに、各嵌合位置で適当な節度感を与えることが可能となる。
【００３１】
この保持部２１、２２により、薬剤シート５０は、何れか１列のポケットと孔１５ａ、１５ｂの位置とが揃う第１のスライド位置（例えば図７に示す第１の嵌合位置）と、隣接する２列のポケットの中間で孔１５ａ、１５ｂの全部又は少なくとも一部分を塞ぐ第２のスライド位置（例えば図８に示す第２の嵌合位置）とにおいて、安定的に保持される。
ここで、図７の第１のスライド位置（第１の嵌合位置）の例では、ベースシート１１の孔１５ａと薬剤シート５０のポケット５２ａとの位置が合い、ベースシート１１の孔１５ｂと薬剤シート５０のポケット５２ｂとの位置が合っている状態が示されている。図８の第２のスライド位置（第２の嵌合位置）の例では、ベースシート１１の孔１５ａがポケット５３ａとポケット５４ａとの間の薬剤シート５０で塞がれ、ベースシート１１の孔１５ｂがポケット５３ｂとポケット５４ｂとの間の薬剤シート５０で塞がれている状態が示されている。
【００３２】
折返部１２、１３の縁の凹部２１ａ、２１ａ、・・・、２２ａ、２２ａ、・・・は、上述した第１及び第２のスライド位置との間の距離、すなわち薬剤シート５０のポケットの列の間隔の１／２ピッチの空間的な周期で波状に形成されている。これにより、薬剤シート５０をスライドさせると、順次交互に繰り返される第１及び第２の各スライド位置で、ポケット５１ａ、５１ｂ、５２ａ、５２ｂ、・・・の左右両外縁の一部が凹部２１ａ、２１ａ、・・・、２２ａ、２２ａ、・・・に弾性的に嵌合する。
【００３３】
これにより、薬の服用者は、薬剤シート５０をスライドさせるだけで、薬剤が封入されている何れか１つの列のポケットを、ベースシート１１の孔１５ａ、１５ｂの位置に合わせた第１のスライド位置（第１の嵌合位置）に保持することができ、そしてその位置でポケットを押し込むことで、容易に薬剤を取り出すことができる。
また、本実施形態によれば、ベースシート１１の孔１５ａ、１５ｂが、薬剤シート５０のポケットの１列に対応して１列分（本実施例の場合は２個）しか形成されていない。そのため、１列の薬剤を取り出した直後や、ベースシート１１の孔１５ａ、１５ｂが塞がれる第２のスライド位置（第２の嵌合位置）に薬剤シート５０が保持された状態では、服用者が、薬剤の封入されているポケットを孔１５ａ、１５ｂの位置に合うように、薬剤シート５０を意図的にスライドさせない限り、薬剤を取り出すことができない。つまり、服用者が意図的にスライド操作しなければ、薬剤を取り出すことができないので、仮に子供などにより悪戯されたとしても、薬剤が不用意に又は偶発的に取り出されてしまうような危険性を極めて小さくすることができる。
【００３４】
［薬剤シート用包装体の他の実施形態］
次に、本発明の薬剤シート用包装体の変形例をいくつか説明する。
【００３５】
図９は、他の実施形態による包装体６０の側面図と平面図である。図９の変形例では、ベースシート１１の長手方向の一端部（図９においては上端部）のストッパ部が、ベースシート１１から細長く堤状に突出した凸部３１として形成されている。このような、凸部３１によっても、図示しない薬剤シートがベースシート１１の一端部よりも外方へスライドするのを規制することができる。これにより、薬剤シートが包装体６０から不用意に取り外されることを防止することができる。
【００３６】
次に図１０は、更に別の実施形態による包装体７０の平面図である。この変形例では、薬剤シート５０の一端部が折返部１４に接するエンド位置のときに、薬剤シート５０の他端部よりも、ベースシート１１の孔１５ａ、１５ｂがスライド方向側（図１０では下方側）に位置するように形成されている。この実施形態によれば、薬剤シート５０を、薬剤を取り出すことができる第１のスライド位置へスライドさせる距離が、上述した実施形態よりも長くなり、したがって子供などによる偶発的な薬剤取り出しの危険性を更に小さくすることができる。
【００３７】
次に図１１は、更に別の実施形態による包装体８０の平面図である。また、図１２は、図１１に示したXII-XIIの位置で切断した場合の包装体８０の断面図である。この変形例では、薬剤を取り出すための孔１５ａ、１５ｂが、ベースシート１１の薬剤シートに対向する面１１ａから突出する台状部３２に形成されている。このような台状部３２を形成することにより、孔１５ａ、１５ｂの周囲の剛性を増すことができ、特に薬剤を取り出すためにポケットを押し潰す方向に力が作用しても、ベースシート１１の曲がりやその変形量を小さく抑えることができる。
【００３８】
次に図１３は、更に別の実施形態による包装体９０の平面図である。この変形例では、ベースシート１１の両側で折り返される折返部１２、１３の縁に、波状に形成された複数の凹部２１ａ、２１ａ、・・・、２２ａ、２２ａ、・・・を備える保持部２１、２２が形成されている。凹部２１ａ、２１ａ、・・・、２２ａ、２２ａ、・・・の中に薬剤シート５０のポケット５１ａ、５１ｂ、５２ａ、５２ｂ、・・・、５５ａ、５５ｂの左右両外縁の一部が弾性的に嵌合することで、薬剤シート５０をスライドさせた各嵌合位置で適当な節度感を生じさせることが可能となる。
【００３９】
この実施形態による凹部２１ａ、２１ａ、・・・、２２ａ、２２ａ、・・・は、薬剤シート５０のポケットの列の間隔と同じピッチの空間的な周期で波状に形成されている。このような凹部２１ａ、２１ａ、・・・、２２ａ、２２ａ、・・・からなる保持部２１、２２により、包装体９０に包装された薬剤シート５０は、何れか１列のポケットと孔１５ａ、１５ｂの位置とが揃う複数の嵌合位置で、安定的に保持される。
【００４０】
これにより、薬の服用者は、薬剤シート５０をスライドさせるだけで、薬剤が封入されている何れか１つの列のポケットを、ベースシート１１の孔１５ａ、１５ｂの位置に合わせた嵌合位置に保持することができ、そしてその位置でポケットを押し込むことで、容易に薬剤を取り出すことができる。また、ベースシート１１の孔１５ａ、１５ｂは、薬剤シート５０のポケットの１列に対応して１列分（本実施例の場合は２個）しか形成されていない。そのため、薬剤を取り出した後の空のポケットの列と孔１５ａ、１５ｂの位置とが揃った嵌合位置に薬剤シート５０が保持された状態では、服用者が、薬剤の封入されているポケットを孔１５ａ、１５ｂの位置に合うように、薬剤シート５０を意図的にスライドさせない限り、薬剤を取り出すことができない。つまり、服用者が意図的にスライド操作しなければ薬剤を取り出すことができないので、仮に子供などにより悪戯されたとしても、薬剤が偶発的に取り出されてしまうような危険性を極めて小さくすることができる。
【００４１】
また、図１４及び図１５は、更に別の実施形態による包装体９１の展開図及び平面図である。これらの図に示されるように、包装体９１のベースシート１１は、第２の折返部１４の反対側の辺に第３の折返部１７が形成されてもよい。この実施形態によれば、薬剤を取り出す際に、先ず折り返された状態の第３の折返部１７を薬剤シートとベースシート１１との間隙に挿入させてから、薬剤シートをスライドさせる新たな動作が必要となる。そのため、薬剤シートの包装時のチャイルドレジスタンス機能をより向上させることができる。また、この実施形態による包装体９１は、ベースシート１１の４辺を折り返した状態で薬剤シートを保持できるので、上記した３辺を折り返す態様よりも比較的安定した形での保持が可能となるという効果も期待できる。
【００４２】
以上説明した、各実施形態の薬剤シート用の包装体１０、６０、７０、８０、９０によれば、薬の服用者による薬剤を取り出す操作性能を損なうことなく、子供などによって偶発的に又は不用意には薬剤が取り出せない保護機能（チャイルドレジスタンス機能）を兼ね備えることができる。
【符号の説明】
【００４３】
１０  包装体
１１  ベースシート
１２、１３  第１の折返部
１４  第２の折返部
１５ａ、１５ｂ  孔
２１、２２  保持部
２１ａ、２２ａ  凹部
２４ａ、２４ｂ  リブ
５０  薬剤シート
５１ａ、５１ｂ、  ポケット
５７  スリット
６０、７０、８０、９０、９１  包装体（変形例）
【図１】
0006517533.tif 000002
【図２】
0006517533.tif 000003
【図３】
0006517533.tif 000004
【図４】
0006517533.tif 000005
【図５】
0006517533.tif 000006
【図６】
0006517533.tif 000007
【図７】
0006517533.tif 000008
【図８】
0006517533.tif 000009
【図９】
0006517533.tif 000010
【図１０】
0006517533.tif 000011
【図１１】
0006517533.tif 000012
【図１２】
0006517533.tif 000013
【図１３】
0006517533.tif 000014
【図１４】
0006517533.tif 000015
【図１５】
0006517533.tif 000016